(57)【要約】【課題】取り扱いやすくかつ実用に耐える大きさの盆を備え、当該盆を体裁よく収容する手段を備えたポットワゴンを提供する。【解決手段】矩形でその一方の対向縁を手掛け縁とした盆をポットワゴン本体の一側面に添設した状態で収納する。本体１はその側面の対向する両辺にガイド溝１１を備え、盆１７は前記ガイド溝に挿入されるガイド縁１６を備え、盆１７を本体１の側面に添設したとき、ガイド溝の外側面１２と盆１７の底面１９とが同一面となる。ガイド縁が盆の底面から段差を持った縁となるので、この段差の部分に指をかけて盆を持つことができ、取扱い性に優れ、かつ本体に盆を収納した状態でポットワゴンの体裁が整った形状となる。盆の使い勝手を考慮すれば、盆の形状を矩形にして、その短辺を手掛け縁とするのがよい。盆はそのガイド縁（手掛け縁）１６をガイド溝１１にスライド式に挿入して収納する構造が便利である。【選択図】　　　図１
2004065451.tif 000002
【特許請求の範囲】
【請求項１】
給湯用の保温容器の載置部（８）及び湯飲みその他の茶道具の収納部（６，７）を備えた本体（１）と、その一側面に添設した状態で収容される盆（１７）とを備えている、ポットワゴン。
【請求項２】
本体（１）はその側面の対向する両辺にガイド溝（１１）を備え、盆（１７）は前記ガイド溝に挿入されるガイド縁（１６）を一方の対向両辺に備え、盆（１７）を本体（１）の前記側面に添設した状態において、前記ガイド溝の外側面（１２）と盆（１７）の底面（１９）とが同一面となることを特徴とする、請求項１記載のポットワゴン。
【発明の詳細な説明】
【０００１】
【発明の属する技術分野】
この発明は、茶を提供するのに用いるポットワゴンに関するもので、給湯用の保温容器（ポット）、湯飲み、急須及び茶筒などを収容して、主として和室で使用する比較的高さの低いワゴンに関するものである。
【０００２】
【従来の技術】
和室で緑茶等を提供するのに用いるポットワゴンは、例えば実開昭５５−１７５３３５号公報、実開昭５７−１７５３３６号公報、実開昭６０−１４３５３３号公報、実開昭６１−１３６９３３号公報、実開昭６２−３５５３０号公報、実開平０６−１７５６５号公報などに開示されている。一般にこの種のポットワゴンは、湯飲み等を載せる盆を備えていないが、実開昭６１−１３６９３３号公報に開示されたものは、天板に設けたポット挿入用の開口に蓋板を備えており、湯注ぎ口の低いポットは蓋板を装着してその上に搭載し、湯注ぎ口の高いポットは蓋板を取り外して搭載するようにしており、この蓋板を盆として使用できることが示されている。
【０００３】
【発明が解決しようとする課題】
この発明は、取り扱いやすくかつ実用に耐える大きさの盆を備えたポットワゴンを提供することを課題としており、特に実用に耐える面積を持った持ちやすい盆を体裁よく収容する手段を備えたポットワゴンを提供することを課題としている。
【０００４】
【課題を解決するための手段】
この発明は、矩形でその一方の対向縁を持ちやすい手掛け縁とした盆をポットワゴン本体の一側面に添設した状態で収納することによって上記課題を解決したものである。
【０００５】
即ち、この発明のポットワゴンは、給湯用の保温容器（ポット）の載置部８及び湯飲みその他の茶道具の収納部６、７を備えた本体１と、その一側面に添設した状態で収容される盆１７とを備えている。
【０００６】
また、請求項２の発明は、上記構造のポットワゴンにおいて、本体１はその側面の対向する両辺にガイド溝１１を備え、盆１７は前記ガイド溝に挿入されるガイド縁１６を一方の対向両辺に備え、盆１７を本体１の前記側面に添設した状態において、前記ガイド溝の外側面１２と盆１７の底面１９とが同一面となることを特徴とするものである。
【０００７】
請求項２の構造によれば、ガイド縁が盆の底面から段差を持った縁となるので、この段差の部分に指をかけて盆を持つことができ、取扱い性に優れ、かつ本体に盆を収納した状態でポットワゴンの体裁が整った形状となる。
【０００８】
盆の使い勝手を考慮すれば、盆の形状を矩形にして、その短辺を手掛け縁とするのがよい。従って、ワゴン本体のガイド溝１１は、側面の幅が高さより狭いものにあっては上下縁に設けるのがよく、側面幅（正面から見たときの奥行寸法）が高さより広いものにあっては、左右縁に設けるのがよいこととなる。湯飲みや急須などの道具を出し入れするときの利便性や湯注ぎ時のポットの高さなどを考慮すると、一般的には前者の構造が使い勝手に優れている。
【０００９】
盆はそのガイド縁（手掛け縁）１６をガイド溝１１にスライド式に挿入して収納する構造が便利であるが、一方のガイド溝を開くことができるようにしたり、ガイド溝を上下に設けたものでは、下縁を持ち上げることによって溝縁を乗り越えて盆を着脱する構造も可能である。いずれにしても、本体側のガイド溝１１に挿入される手掛け縁１６を盆に設けた構造では、盆収納時にガイド溝１１の外側面１２と盆の底面１９とが同一面となるようにしたとき、盆使用時に手掛け縁１６がガイド溝の溝縁の厚さ分だけ浮き上った状態となるため、収納状態で外観がよく、使用状態で盆の取扱いが便利であるという特徴を同時に達成できる。
【００１０】
【発明の実施の形態】
以下、図面を参照して、この発明の好ましい実施形態を説明する。
【００１１】
ポットワゴン本体１は木製で、台板２、両側の側板３及び天板４で囲まれた空間を仕切板５で縦方向に区切り、その一方の空間に片開き扉６を設けて道具の収納部とし、他方の空間の下部に小物を収容する引出し７を設けている。引出し７の上方には、ポット載置板８が設けられ、このポット載置板８の上方部分の天板には、ポットを挿入する円形の開口９が設けられている。ポットは、この円形の開口を通してポット載置板８上に載置される。図のものでは、湯注ぎ口の低いポットも搭載できるように、ポット載置板８と天板４との間隔を狭くしてある。
【００１２】
ワゴン本体１の一方の側板３Ｒにおいては、台板２及び天板４が側板３Ｒから突出して、その突出部の台板の上面及び天板の下面に溝縁材１０が接着されて、側板３Ｒの上下縁に当該側板に沿ってガイド溝１１が形成されている。
【００１３】
一方、ワゴン本体１と別体にして、短辺が側板３の幅に等しく、当該短辺をガイド溝１１にスライド自在に嵌合する手掛け縁（ガイド縁）１６とした矩形の盆１７を備えている。この盆は、上面を浅皿状の凹所とし、その長辺に沿って手掛け縁１６の上面と等しい高さの突縁１８が形成されている。盆の深さＤは、ワゴン本体の溝縁材１０の側面から側板３Ｒまでの深さＥに等しい。この盆１７は、手掛け縁１６をガイド溝１１にスライド式に挿し込むことによってワゴン本体１の側面に添設され、その添設状態において、溝縁材１０の外側面１２と盆の底面１９とは同一面となる（図２参照）。
【００１４】
上記構造のこの発明のポットワゴンは、配膳に使用する盆１７を備え、かつ盆を使用しないときには、ワゴン本体の側面に添設状態で収納されて邪魔にならず、かつワゴン本体１と共に移動するので、使用したいときにすぐに取り出すことができ、かつ取り出した盆の大きさ及び形状は、扱いやすい面積を備えた矩形で、かつ手掛け縁１６が盆の底面から浮き上った持ちやすい形状のものとなる。
【００１５】
【発明の効果】
以上説明したように、この発明のポットワゴンは、使用するときにいつでも取り出すことができる配膳盆をワゴン本体１に着脱自在に備え、かつその配膳盆のワゴン本体への収納に場所を取らず体裁よく収納できると共に、その収納構造と盆の大きさ及び形状がうまく整合して、盆が取り扱いやすい大きさ及び形状になるという効果がある。
【図面の簡単な説明】
【図１】盆を取り外した状態のワゴン本体と盆とを示す斜視図
【図２】盆を装着した状態を示す斜視図
【符号の説明】
１　ポットワゴン本体
６　片開き扉
７　引出し
８　ポット載置板
１１　ガイド溝
１２　外側面
１７　盆
１９　底部
【図１】
2004065451.tif 000003
【図２】
2004065451.tif 000004